(57)【要約】【課題】携帯型であっても、フルセグメント放送を視聴することが可能なテレビジョン放送受信装置よびテレビジョン放送受信システムを提供する。【解決手段】携帯電話機１００がクレードル２００に接続されていない場合には、制御部１９０は、携帯電話機１００内のワンセグチューナ部１６１を用いてワンセグメント放送を視聴できるように制御し、一方、携帯電話機１００がクレードル２００に接続されている場合には、制御部１９０は、クレードル２００内のフルセグチューナ部２２０などを用いてフルセグメント放送を視聴できるように制御したものである。【選択図】      図１
2010028749.tif 000002
【特許請求の範囲】
【請求項１】
広帯域放送を受信する広帯域放送受信手段を備えるとともに電力を供給する供給装置と接続自在なテレビジョン放送受信装置であって、
映像を表示する表示手段と、
狭帯域放送を受信する狭帯域放送受信手段と、
前記供給装置から出力される放送データが入力される入力手段と、
この入力手段を通じて入力される放送データと、前記狭帯域放送受信手段が受信した放送データのうち、一方の放送データに基づく映像を前記表示手段に表示する制御手段と具備することを特徴とするテレビジョン放送受信装置。
【請求項２】
さらに、前記供給装置との接続を検出する検出手段を備え、
前記制御手段は、前記狭帯域放送受信手段が受信した放送データに基づく映像を前記表示手段に表示するように制御している場合に、前記検出手段が前記供給装置との接続を検出すると、前記入力手段を通じて入力された放送データに基づく映像を前記表示手段に表示するように制御することを特徴とする請求項１に記載のテレビジョン放送受信装置。
【請求項３】
さらに、前記供給装置から離脱したことを検出する検出手段を備え、
前記制御手段は、前記入力手段を通じて入力された放送データに基づく映像を前記表示手段に表示するように制御している場合に、前記検出手段が前記供給装置からの離脱を検出すると、前記狭帯域放送受信手段が受信した放送データに基づく映像を前記表示手段に表示するように制御することを特徴とする請求項１に記載のテレビジョン放送受信装置。
【請求項４】
表示手段を備えたテレビジョン放送受信装置と、このテレビジョン放送受信装置に接続自在で電力を供給する供給装置とを備えたテレビジョン放送受信システムにおいて、
前記供給装置は、
広帯域放送を受信する広帯域放送受信手段と、
この広帯域放送受信手段が受信した放送データを前記テレビジョン放送受信装置に出力する出力手段とを備え、
前記テレビジョン放送受信装置は、
狭帯域放送を受信する狭帯域放送受信手段と、
前記出力手段から出力される放送データが入力される入力手段と、
この入力手段を通じて入力される放送データと、前記狭帯域放送受信手段が受信した放送データのうち、一方の放送データに基づく映像を前記表示手段に表示する制御手段とを備えることを特徴とするテレビジョン放送受信システム。
【請求項５】
前記テレビジョン放送受信装置は、さらに前記供給装置との接続を検出する検出手段を備え、
前記制御手段は、前記狭帯域放送受信手段が受信した放送データに基づく映像を前記表示手段に表示するように制御している場合に、前記検出手段が前記供給装置との接続を検出すると、前記入力手段を通じて入力された放送データに基づく映像を前記表示手段に表示するように制御することを特徴とする請求項４に記載のテレビジョン放送受信システム。
【請求項６】
前記テレビジョン放送受信装置は、さらに前記供給装置から離脱したことを検出する検出手段を備え、
前記制御手段は、前記入力手段を通じて入力された放送データに基づく映像を前記表示手段に表示するように制御している場合に、前記検出手段が前記供給装置からの離脱を検出すると、前記狭帯域放送受信手段が受信した放送データに基づく映像を前記表示手段に表示するように制御することを特徴とする請求項４に記載のテレビジョン放送受信システム。
【発明の詳細な説明】
【技術分野】
【０００１】
この発明は、例えば地上デジタル放送の受信に用いられるテレビジョン放送受信装置に関する。
【背景技術】
【０００２】
周知のように、地上デジタル放送として、フルセグメント放送と、ワンセグメント放送が行われている。このうち、フルセグメント放送は、フルセグメントの放送波を用いることで高画質な放送を提供でき、主として家庭や事業所に設置されたテレビジョン放送受信装置で受信が行われる。一方、ワンセグメント放送は、ワンセグメントの放送波を用いることで携帯機器向けに放送が行われている（例えば、特許文献１参照）。
【０００３】
ところで近時、小型の表示装置においても高画質化が進んでおり、携帯機器にあっても、フルセグメント放送を視聴できるようにしたいという要望があった。しかしながら、フルセグメント放送を受信するためには、フルセグメント放送を受信するための受信回路が必要であり、小型で低消費電力が求められる携帯機器にあっては、その搭載は実用性に欠けるという問題があった。
【特許文献１】特開２００７−３１８４０４公報
【発明の開示】
【発明が解決しようとする課題】
【０００４】
携帯型のテレビジョン放送受信装置でフルセグメント放送を受信する場合、装置の大型化や消費電力の増大が障害となり、フルセグメント放送を受信する受信回路の搭載は実用性に欠けるという問題があった。  
この発明は上記の問題を解決すべくなされたもので、携帯型であっても、ワンセグメント放送の他に、フルセグメント放送を視聴することが可能なテレビジョン放送受信装置よびテレビジョン放送受信システムを提供することを目的とする。
【課題を解決するための手段】
【０００５】
上記の目的を達成するために、この発明は、広帯域放送を受信する広帯域放送受信手段を備えるとともに電力を供給する供給装置と接続自在なテレビジョン放送受信装置であって、映像を表示する表示手段と、狭帯域放送を受信する狭帯域放送受信手段と、供給装置から出力される放送データが入力される入力手段と、この入力手段を通じて入力される放送データと、狭帯域放送受信手段が受信した放送データのうち、一方の放送データに基づく映像を表示手段に表示する制御手段とを具備して構成するようにした。
【発明の効果】
【０００６】
以上述べたように、この発明では、供給装置から入力される広帯域放送の放送データと、狭帯域放送受信手段が受信した放送データのうち、一方の放送データに基づく映像を表示手段に表示するようにしている。  
したがって、この発明によれば、携帯型であっても、ワンセグメント放送などの狭帯域放送の他に、フルセグメント放送などの広帯域放送を視聴することが可能なテレビジョン放送受信装置を提供できる。
【発明を実施するための最良の形態】
【０００７】
以下、図面を参照して、この発明の一実施形態について説明する。  
図１は、この発明の一実施形態に係わるテレビジョン放送受信システムを、携帯電話機１００とクレードル２００で構成した例を示すものである。
【０００８】
携帯電話機１００は、図１に示すように、主な構成要素として、無線通信部１１０と、表示部１２０と、通話部１３０と、操作部１４０と、記憶部１５０と、放送受信部１６０と、接続コネクタ１７０と、充電回路１８０と、制御部１９０とを備え、基地局装置ＢＳおよび移動通信網ＮＷを介して通信する携帯電話機としての通信機能と、放送局ＢＣから送信される地上デジタル放送信号を受信するテレビジョン放送信号の受信機能とを備える。
【０００９】
無線通信部１１０は、制御部１９０の指示にしたがって、移動通信網ＮＷに収容された基地局装置ＢＳと無線通信を行うものであって、この無線通信により、音声データや電子メールデータなどの送受信、Ｗｅｂデータやストリーミングデータなどの受信を行う。
【００１０】
表示部１２０は、例えばLCD(Liquid Crystal Display)や有機EL(Electro Luminescence)ディスプレイなどを用いた表示手段であって、制御部１９０の制御により、無線通信部１１０が受信した画像（静止画像および動画像）や文字情報、後述する放送受信部１６０が受信したテレビジョン放送の画像などを表示して、視覚的にユーザに情報を伝達するものである。
【００１１】
通話部１３０は、スピーカ１３１やマイクロホン１３２を備え、マイクロホン１３２を通じて入力されたユーザの音声を音声データに変換して制御部１９０に出力したり、また通話相手などから受信した音声データを復号したり、テレビジョン放送信号の音声データを復号して、スピーカ１３１から出力するものである。  
操作部１４０は、文字や数字、所定の命令を入力するための複数のキースイッチなどを備え、これを通じてユーザから指示を受け付けるものである。
【００１２】
記憶部１５０は、制御部１９０の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。なお、具体的には、ＨＤＤ、ＲＡＭ、ＲＯＭ、フラッシュメモリなどで構成され、これらの１つで、または複数を組み合わせて構成することができる。
【００１３】
放送受信部１６０は、ワンセグチューナ部１６１と、デコード部１６２とを備える。ワンセグチューナ部１６１は、放送局ＢＣから送信される地上デジタル放送信号のうち、ワンセグメント放送の放送信号を受信して放送データに復調する。デコード部１６２は、ワンセグチューナ部１６１が得たワンセグメント放送の放送データや、クレードル２００から与えられるフルセグメント放送の放送データを復号して、ワンセグメント放送またはフルセグメント放送の映像信号および音声信号を得る。
【００１４】
なお、デコード部１６２は、単独のＩＣとして実現したり、ワンセグチューナ部１６１と一体化したＩＣで実現する以外に、制御部１９０のＬＳＩと一体化させる構成が考えられる。この場合、制御部１９０がデコード部１６２の機能を備える。その他、音声や映像などのメディアデータを処理するマルチメディアＬＳＩに、デコード部１６２の機能を含ませることで実現することが考えられる。
【００１５】
接続コネクタ１７０は、クレードル２００と物理的および電気的に接続されるインタフェースであって、クレードル２００から供給される直流電力を充電回路１８０に出力する機能を有する。また制御部１９０から与えられる制御信号をクレードル２００に出力したり、クレードル２００から出力される制御信号を制御部１９０に出力したり、クレードル２００から出力される放送データをデコード部１６２に出力する機能を有する。  
充電回路１８０は、接続コネクタ１７０から供給される直流電力で、当該携帯電話機１００の動作用バッテリ（図示しない）を充電するものである。
【００１６】
制御部１９０は、マイクロプロセッサを備え、記憶部１５０が記憶する制御プログラムや制御データにしたがって動作し、当該携帯電話機１００の各部を統括して制御し、音声通信やデータ通信を実現するものである。また制御部１９０は、記憶部１５０が記憶するアプリケーションソフトウェアにしたがって動作し、電子メールの送受信や、Ｗｅｂブラウジング、ストリーミングデータのダウンロードなどの通信制御機能を備える。
【００１７】
さらに制御部１９０は、ダウンロードしたストリーミングデータを映像信号および音声信号に復号したり、この映像信号やワンセグメント放送またはフルセグメント放送の映像信号に基づいて表示部１２０を制御して、映像を表示部１２０に表示する表示ドライバとしての表示制御機能を備える。また制御部１９０は、上記ストリーミングデータに基づく音声信号や、ワンセグメント放送またはフルセグメント放送の音声信号を通話部１３０を通じてスピーカ１３１より拡声出力させる音声制御機能を備える。
【００１８】
そしてまた制御部１９０は、接続コネクタ１７０にクレードル２００が接続されているか否かを監視する機能や、操作部１４０を通じたユーザからの要求に応じて、地上デジタル放送を受信する放送波受信制御機能を備える。この放送波受信制御機能については、後に詳述する。
【００１９】
クレードル２００は、携帯電話機１００がユーザに携帯して運用されるのに対して、家庭内や事業所内に固定的に設置して用いられるものであって、商用電源（ＡＣ１００Ｖ）に接続され、携帯電話機１００を載置するなど、携帯電話機１００と物理的に合体しこれを保持するメカニズムを備える。またクレードル２００は、図１に示すように、ＤＣ変換部２１０と、フルセグチューナ部２２０と、デスクランブラ部２３０と、接続コネクタ２４０とを備える。
【００２０】
ＤＣ変換部２１０は、商用電源（ＡＣ１００Ｖ）を携帯電話機１００の駆動用もしくはバッテリ充電用の直流電圧に変換するものである。この直流電圧は、当該クレードル２００内の各部の動作用電力としても用いられる。なお、このＤＣ変換部２１０は、必ずしもクレードル２００内に搭載される必要はなく、ＡＣアダプタなどの外部機器として構成し、クレードル２００に備えたコネクタ（ジャック）を通じて接続するようにしてもよい。
【００２１】
フルセグチューナ部２２０は、接続コネクタ２４０を通じた制御部１９０から指示があった場合に動作し、放送局ＢＣから送信される地上デジタル放送信号のうち、フルセグメント放送の放送信号を受信して復調する。  
デスクランブラ部２３０は、フルセグチューナ部２２０にて復調された信号に対して、放送局ＢＣにて施されたスクランブル処理を解除するデスクランブル処理を施し、放送データを得る。なお、上記スクランブル処理は、図示しないカードインタフェースに挿入されたＢ−ＣＡＳカードに記録された識別データに基づいて、実施される。
【００２２】
接続コネクタ２４０は、携帯電話機１００の接続コネクタ１７０と物理的および電気的に接続されるインタフェースであって、携帯電話機１００から与えられる制御信号を対応する各部に出力したり、ＤＣ変換部２１０から与えられる直流電力を接続コネクタ１７０に出力する。またデスクランブラ部２３０から与えられる放送データを携帯電話機１００に出力する。
【００２３】
次に、上記構成の携帯電話機１００の動作について説明する。以下の説明では特に、携帯電話機１００としての通信機能についての説明は省略し、地上デジタル放送を受信する際の動作について説明する。図２は、地上デジタル放送を受信する際の制御部１９０の制御動作を説明するフローチャートである。
【００２４】
この制御動作は、前述した放送波受信制御機能に相当するものであって、この制御プログラムは、記憶部１５０に記憶され、この制御プログラムにしたがって制御部１９０が動作することにより実現する。そして、このフローチャートは、操作部１４０を通じて、ユーザから地上デジタル放送を視聴する要求がなされた場合に開始され、以後、受信を停止する指示がなされるまで実行される。
【００２５】
まずステップ２ａにおいて制御部１９０は、デコード部１６２を起動し、ステップ２ｂに移行する。なお、起動されたデコード部１６２は、操作部１４０を通じてユーザから地上デジタル放送の受信を停止する指示がなされ、これにより制御部１９０から停止指示があるまで動作し続ける。
【００２６】
ステップ２ｂにおいて制御部１９０は、接続コネクタ１７０の接続状態を検出し、当該携帯電話機１００がクレードル２００に接続されているか否かを判定する。ここで、クレードル２００に接続されている場合には、ステップ２ｇに移行し、一方、クレードル２００に接続されていない場合には、ステップ２ｃに移行する。
【００２７】
ステップ２ｃにおいて制御部１９０は、ワンセグチューナ部１６１を起動し、ステップ２ｄに移行する。これにより起動されたワンセグチューナ部１６１は、ワンセグメント放送波の受信を開始する。なお、起動されたワンセグチューナ部１６１は、操作部１４０を通じてユーザから地上デジタル放送の受信を停止する指示がなされ、これにより制御部１９０から停止指示があると、その動作を停止する。
【００２８】
ステップ２ｄにおいて制御部１９０は、地上デジタル放送（ワンセグメント放送）の受像を開始し、ステップ２ｅに移行する。すなわち、ワンセグチューナ部１６１が得たワンセグメント放送の放送データがデコード部１６２によって復号され、これによって得た映像信号に基づく映像を、制御部１９０が表示部１２０を制御して表示するとともに、また同様にして得られる音声信号を通話部１３０を通じてスピーカ１３１より拡声出力する。
【００２９】
ステップ２ｅにおいて制御部１９０は、再び、接続コネクタ１７０の接続状態を検出し、当該携帯電話機１００がクレードル２００に接続されているか否かを判定する。ここで、クレードル２００に接続されている場合には、ステップ２ｆに移行し、一方、クレードル２００に接続されていない場合には、再びステップ２ｅに移行して判定をくり返す。
【００３０】
ステップ２ｆにおいて制御部１９０は、ワンセグチューナ部１６１を停止し、ステップ２ｇに移行する。なお、ワンセグチューナ部１６１の正確な停止タイミングは、移行したステップ２ｇの処理が完了してからでもよい。
【００３１】
ステップ２ｇにおいて制御部１９０は、接続コネクタ１７０を通じてクレードル２００に対してフルセグメント放送の受信開始を指示し、ステップ２ｈに移行する。これによりクレードル２００では、制御部１９０の指示にしたがって、フルセグチューナ部２２０およびデスクランブラ部２３０が起動され、フルセグメント放送波の受信が開始される。なお、起動されたフルセグチューナ部２２０およびデスクランブラ部２３０は、操作部１４０を通じてユーザから地上デジタル放送の受信を停止する指示がなされ、これにより制御部１９０から停止指示があったり、携帯電話機１００がクレードル２００から取り外されるまで、受信動作を継続する。
【００３２】
ステップ２ｈにおいて制御部１９０は、地上デジタル放送（フルセグメント放送）の受像を開始し、ステップ２ｉに移行する。すなわち、フルセグチューナ部２２０が得たフルセグメント放送の放送データに、デスクランブラ部２３０によるデスクランブル処理が施され、そしてこれによって得た放送データが接続コネクタ２４０，１７０を通じてデコード部１６２に出力される。そしてこの放送データがデコード部１６２によって復号され、これによって得た映像信号に基づく映像を、制御部１９０が表示部１２０を制御して表示するとともに、また同様にして得られる音声信号を通話部１３０を通じてスピーカ１３１より拡声出力する。
【００３３】
ステップ２ｉにおいて制御部１９０は、接続コネクタ１７０の接続状態を検出し、当該携帯電話機１００がクレードル２００から離脱されているか否かを判定する。ここで、クレードル２００から離脱している場合には、ステップ２ｃに移行し、一方、クレードル２００に接続されている場合には、再びステップ２ｉに移行して判定をくり返す。なお、クレードル２００では、携帯電話機１００の離脱を接続コネクタ２４０が検出すると、この検出に応動して、フルセグチューナ部２２０およびデスクランブラ部２３０が停止する。
【００３４】
以上のように、上記構成の携帯電話機１００およびクレードル２００で構成したテレビジョン放送受信システムでは、携帯電話機１００がクレードル２００に接続されていない場合には、携帯電話機１００内のワンセグチューナ部１６１を用いてワンセグメント放送を視聴できるようにし、一方、携帯電話機１００がクレードル２００に接続されている場合には、クレードル２００内のフルセグチューナ部２２０などを用いてフルセグメント放送を視聴できるようにしている。
【００３５】
したがって、上記構成のテレビジョン放送受信システムによれば、ユーザが選択的に携帯電話機１００をクレードル２００に接続したり、離脱したりすることで、フルセグメント放送とワンセグメント放送を視聴することができ、また携帯電話機１００には、フルセグチューナ部２２０やデスクランブラ部２３０を備えないので、大型化することもない。またクレードル２００は、商用電源で駆動するので、フルセグメント放送を視聴しても、携帯電話機１００のバッテリ消費をユーザが気にしなくてもよい。
【００３６】
また上記構成のテレビジョン放送受信システムでは、すでに放送を視聴している状態で、受信する放送波を簡単に切り替えることができる。  
すなわち、ワンセグメント放送を受信中の携帯電話機１００をクレードル２００に接続することで、フルセグメント放送の受信に切り替えることができる。このため、外出中にワンセグメント放送を視聴していたユーザは、帰宅に伴って携帯電話機１００をクレードル２００へ装着するという簡単なアクションで、フルセグメント放送の受信に切り替えることができ、特別な切替え操作などを行うことなく視聴を継続することができる。
【００３７】
同様に、フルセグメント放送を受信中の携帯電話機１００をクレードル２００から離脱することで、ワンセグメント放送の受信に切り替えることができる。このため、フルセグメント放送を視聴していたユーザは、外出などの移動が必要が生じた場合に、クレードル２００からの離脱という簡単なアクションで、ワンセグメント放送の受信に切り替えることができ、特別な切替え操作などを行うことなく視聴を継続することができる。
【００３８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３９】
その一例として例えば、上記実施の形態では、携帯電話機１００とクレードル２００に適用した場合を例にして説明したが、この組み合わせに限定されるものではない。例えば、携帯電話機１００に代わって、フラッシュメモリや小型ＨＤＤを用いた携帯型の音楽再生装置に適用することもできる。
【００４０】
また上記実施の形態では、携帯電話機１００とクレードル２００とが接続されるか否かに応じて、受信する放送波を制御部１９０が切り替えるようにしたが、これに代わって例えば、携帯電話機１００がクレードル２００に接続されても、操作部１４０を通じてユーザから指示があった場合に限って、フルセグメント放送の受信に切り替えるようにしてもよい。  
その他、この発明の要旨を逸脱しない範囲で種々の変形を施しても同様に実施可能であることはいうまでもない。
【図面の簡単な説明】
【００４１】
【図１】この発明に係わるテレビジョン放送受信システムの一実施形態の構成を示す回路ブロック図。
【図２】図１に示したテレビジョン放送受信装置の動作を説明するためのフローチャート。
【符号の説明】
【００４２】
１００…携帯電話機、１１０…無線通信部、１２０…表示部、１３０…通話部、１３１…スピーカ、１３２…マイクロホン、１４０…操作部、１５０…記憶部、１６０…放送受信部、１６１…ワンセグチューナ部、１６２…デコード部、１７０…接続コネクタ、１８０…充電回路、１９０…制御部、２００…クレードル、２１０…ＤＣ変換部、２２０…フルセグチューナ部、２３０…デスクランブラ部、２４０…接続コネクタ、ＢＣ…放送局、ＢＳ…基地局装置、ＮＷ…移動通信網。
【図１】
2010028749.tif 000003
【図２】
2010028749.tif 000004